【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
生体情報を検出する検出手段が接続可能な端末と、
前記検出手段を動作させるためのプログラムおよび／またはデータを蓄積したプログラムサーバと、
前記端末と通信する情報サーバとを備え、
前記検出手段の動作スイッチがＯＮになると、前記端末は、前記検出手段の種類を含む情報を前記プログラムサーバに送信し、
前記プログラムサーバは、前記情報を受信すると、これに基づき、所定のプログラムおよび／またはデータを前記端末に送信し、
前記検出手段は、前記端末が受信した所定のプログラムおよび／またはデータに基づき動作して生体情報を検出し、前記端末は、前記検出手段の検出結果を前記情報サーバへ送信する生体情報検出システム。
【請求項２】
生体情報を検出する検出手段が接続可能な端末と、前記検出手段を動作させるためのプログラムおよび／またはデータを蓄積したプログラムサーバと、前記端末と通信する前記検出結果を取得する情報サーバとを用い、前記検出手段の動作スイッチがＯＮになると、前記端末は、前記検出手段の種類を含む情報を前記プログラムサーバに送信する工程と、前記プログラムサーバは、前記情報を受信すると、これに基づき、所定のプログラムおよび／またはデータを前記端末に送信する工程と、前記検出手段は、前記端末が受信した所定のプログラムおよび／またはデータに基づき動作して生体情報を検出する工程と、前記端末は、前記検出手段の検出結果を前記情報サーバへ送信する工程とを備えた生体情報検出方法。
【請求項３】
生体情報を検出する検出手段が接続可能な端末であって、前記検出手段を動作させるためのプログラムおよび／またはデータを蓄積したプログラムサーバと、前記検出結果を取得する情報サーバと通信を行い、前記検出手段の動作スイッチがＯＮになると、前記検出手段の種類を含む情報を前記プログラムサーバに送信し、前記プログラムサーバが、前記情報を受信すると、これに基づき、所定のプログラムおよび／またはデータを送信し、前記検出手段が、前記端末が受信した所定のプログラムおよび／またはデータに基づき動作し生体情報を検出し、前記検出手段の検出結果を前記情報サーバへ送信する端末。
【請求項４】
生体情報を検出する検出手段が接続可能で端末と通信する、前記検出手段を動作させるためのプログラムまたはデータを蓄積したプログラムサーバであって、前記検出手段の動作スイッチがＯＮになり、前記端末から、前記検出手段の種類を含む情報が送信された場合、前記情報を受信すると、これに基づき、所定のプログラムおよび／またはデータを前記端末に送信し、前記検出手段は、前記端末が受信した所定のプログラムおよび／またはデータに基づき動作して生体情報を検出し、前記端末は、前記検出手段の検出結果を、情報サーバへ送信するものであるプログラムサーバ。
【請求項５】
生体情報を検出する検出手段が接続可能な端末と通信する情報サーバであって、前記端末は、前記検出手段を動作させるためのプログラムおよび／またはデータを蓄積したプログラムサーバとも通信を行い、前記検出手段の動作スイッチがＯＮになり、前記端末が、前記検出手段の種類を含む情報を前記プログラムサーバに送信すると、前記プログラムサーバが、前記情報を受信すると、これに基づき、所定のプログラムおよび／またはデータを前記端末に送信し、前記検出手段が、前記端末が受信した所定のプログラムおよび／またはデータに基づき動作して生体情報を検出し、前記端末が、前記検出手段の検出結果を送信すると、その検出結果を受信する情報サーバ。
【請求項６】
生体情報を検出する生体情報検出手段と、前記生体情報検出手段により検出された生体情報を処理、蓄積、表示する生体情報処理手段とを備え、前記生体情報検出手段は、検出した生体情報を一時蓄積するバッファ手段と、前記生体情報処理手段と通信するための第１通信手段とを少なくとも有し、前記生体情報処理手段は、前記生体情報検出手段と通信するための第２通信手段と、前記生体情報を記憶する記憶手段と、前記記憶手段に記憶された生体情報に所定の処理を行う処理手段と、前記記憶手段に記憶された生体情報および／または処理手段の出力データを表示する表示手段とを少なくとも有する生体情報処理装置。
【請求項７】
前記生体情報処理手段は、外部のサーバと通信するための第３通信手段をさらに備えた請求項６に記載の生体情報処理装置。
【請求項８】
請求項５または７に記載の生体情報処理装置を用いて、前記情報サーバまたは前記サーバの使用者である健康管理指導者の指導に基づき前記生体処理装置の使用者の健康を管理する健康管理方法であって、前記情報サーバまたは前記サーバが、前記使用者の身長、体重、体脂肪率、体温を含む情報を含む使用者カルテに基づき、前記生体情報処理装置の使用者の運動指標、運動メニュー、健康管理指標の全部または一部を含む健康管理プログラムを作成し、これを前記生体情報処理装置へ送信する第１工程と、前記生体情報処理装置が前記健康管理プログラムを受信するとともに、前記使用者が前記健康管理プログラムに基づいて前記生体情報処理装置を使用し、計測データを取得する第２工程と、前記情報サーバまたは前記サーバが、前記得られた計測データを基に前記健康管理プログラムを更新する第３工程と、前記生体情報処理装置は、前記計測データが前記健康管理プログラムに対して設定された値の範囲外にある場合には、前記情報サーバまたは前記サーバに注意を促す警告情報を発信する第４工程とを備え、前記健康管理指導者は、前記警告情報を確認すると、これに基づく判断により、前記健康管理プログラム中の運動指標および／または運動メニューを変更し、前記情報サーバまたは前記サーバが、前記変更された運動指標および／または運動メニューを前記生体情報処理装置へ送信し、前記生体情報処理装置が変更された前記運動指標および／または運動メニューを受信すると、これに基づき、前記使用者が所定のレベルで運動を行う健康管理方法。
【請求項９】
前記生体情報処理装置は、前記使用者に対し、前記計測データの更新を促す旨の催促情報を送信し、前記使用者は、前記催促情報を確認すると、これに基づく判断により、前記生体情報処理装置を動作させ、前記生体情報処理装置は、新たな計測データを取得すると、これを前記情報サーバまたはサーバへ送信する請求項８に記載の健康管理方法。
【請求項１０】
前記催促情報は、前記計測データが所定期間以上更新されていない場合に出力される請求項９に記載の健康管理方法。
【請求項１１】
前記催促情報は、前記使用者が前記計測データを更新するための前記生体情報処理装置の操作方法を含む請求項９に記載の健康管理方法。
【請求項１２】
前記催促情報は、前記使用者が前記計測データを更新するための前記情報サーバまたは前記サーバの操作方法を含む請求項９に記載の健康管理方法。
【請求項１３】
前記情報サーバまたは前記サーバは、前記使用者の使用者カルテと前記使用者とを一意に関係づける使用者ＩＤを格納した使用者ＩＤテーブルをさらに備え、前記使用者ＩＤは、前記健康管理プログラムとともに前記健康管理装置に送信されるものである請求項８に記載の健康管理方法。
【請求項１４】
所定の検査項目に対応した生体情報を生体から検出する検出手段を有する端末と、前記検出手段を動作させるためのプログラムおよび／またはデータを蓄積したプログラムサーバと、前記端末と通信し、前記生体情報に基づき前記検査項目に対する判断を行う検査項目判断サーバとを備え、前記端末が起動すると、前記検査項目判断サーバは、あらかじめ設定された検査項目に対応した生体情報に基づき、前記あらかじめ設定された検査項目に関する判断を行い、前記判断の結果に基づき、前記端末に、所定のプログラムおよび／またはデータを前記プログラムサーバからダウンロードさせて、前記検出手段に前記所定のプログラムおよび／またはデータに基づく動作を行わせる生体情報検出システム。
【請求項１５】
所定の検査項目に対応した生体情報を生体から検出する検出手段を有する端末と、前記検出手段を動作させるためのプログラムおよび／またはデータを蓄積したプログラムサーバと、前記端末と通信し、前記生体情報に基づき前記検査項目に対する判断を行う検査項目判断サーバとを備え、前記端末は、前記検出手段が、あらかじめ設定された検査項目に対応した生体情報を検出すると、これを前記検査項目判断サーバに送信し、前記検査項目判断サーバは、検出された生体情報を受信すると、これに基づき前記あらかじめ設定された検査項目に関する判断を行い、前記判断の結果に基づき、前記検出手段の動作を継続させるかどうかの決定を行い、前記決定が前記検出手段の動作の継続である場合は、前記検出手段に従前と同一の動作を行わせるか、または前記プログラムサーバから所定のプログラムおよび／またはデータをダウンロードさせて、これら所定のプログラムおよび／またはデータに基づく動作を行わせる生体情報検出システム。
【請求項１６】
前記検出手段は前記端末から脱着可能に接続されており、前記所定のプログラムおよび／またはデータのダウンロードに伴い、前記端末に接続される前記検出手段の種類および／または個数が変更されるものである請求項１４または１５に記載の生体情報検出システム。
【請求項１７】
前記所定のプログラムおよび／またはデータのダウンロードは、前記検出手段の動作が対応する検査項目の変更のために行われる請求項１４または１５に記載の生体情報検出システム。
【請求項１８】
前記所定のプログラムおよび／またはデータのダウンロードは、前記検出手段の動作が、対応する検査項目が従前と同一のものであって検査方法が異なるものへの変更のために行われる請求項１４または１５に記載の生体情報検出システム。
【請求項１９】
前記検査項目判断サーバの前記判断には、前記生体情報として、前記検出手段の検出対象である生体に個別に関連した個別生体情報が用いられ、前記端末には、前記個別生体情報と対応づけられたＩＤが付与されており、前記検査項目判断サーバは、前記端末のＩＤを参照することにより、前記個別生体情報を用いて前記判断を行う請求項１４または１５に記載の生体情報検出システム。
【請求項２０】
前記ＩＤは、前記端末から前記検査項目判断サーバに発信されることにより、前記検査項目判断サーバが参照できるようになるものである請求項１９に記載の生体情報検出システム。
【手続補正２】
【補正対象書類名】明細書
【補正対象項目名】００２５
【補正方法】変更
【補正の内容】
【００２５】
【課題を解決するための手段】  上記の目的を達成するために、第１の本発明（請求項１に対応）は、生体情報を検出する検出手段が接続可能な端末と、前記検出手段を動作させるためのプログラムおよび／またはデータを蓄積したプログラムサーバと、前記端末と通信する情報サーバとを備え、前記検出手段の動作スイッチがＯＮになると、前記端末は、前記検出手段の種類を含む情報を前記プログラムサーバに送信し、前記プログラムサーバは、前記情報を受信すると、これに基づき、所定のプログラムおよび／またはデータを前記端末に送信し、前記検出手段は、前記端末が受信した所定のプログラムおよび／またはデータに基づき動作して生体情報を検出し、前記端末は、前記検出手段の検出結果を前記情報サーバへ送信する生体情報検出システムである。
【手続補正３】
【補正対象書類名】明細書
【補正対象項目名】００２６
【補正方法】変更
【補正の内容】
【００２６】
また、第２の本発明（請求項２に対応）は、生体情報を検出する検出手段が接続可能な端末と、前記検出手段を動作させるためのプログラムおよび／またはデータを蓄積したプログラムサーバと、前記端末と通信する前記検出結果を取得する情報サーバとを用い、前記検出手段の動作スイッチがＯＮになると、前記端末は、前記検出手段の種類を含む情報を前記プログラムサーバに送信する工程と、前記プログラムサーバは、前記情報を受信すると、これに基づき、所定のプログラムおよび／またはデータを前記端末に送信する工程と、前記検出手段は、前記端末が受信した所定のプログラムおよび／またはデータに基づき動作して生体情報を検出する工程と、前記端末は、前記検査手段の検出結果を前記情報サーバへ送信する工程とを備えた生体情報検出方法である。
【手続補正４】
【補正対象書類名】明細書
【補正対象項目名】００２７
【補正方法】変更
【補正の内容】
【００２７】
また、第３の本発明（請求項３に対応）は、生体情報を検出する検出手段が接続可能な端末であって、前記検出手段を動作させるためのプログラムおよび／またはデータを蓄積したプログラムサーバと、前記検出結果を取得する情報サーバと通信を行い、前記検出手段の動作スイッチがＯＮになると、前記検出手段の種類を含む情報を前記プログラムサーバに送信し、前記プログラムサーバが、前記情報を受信すると、これに基づき、所定のプログラムおよび／またはデータを送信し、前記検査手段が、前記端末が受信した所定のプログラムおよび／またはデータに基づき動作し生体情報を検出し、前記検手段の検出結果を前記情報サーバへ送信する端末である。
【手続補正５】
【補正対象書類名】明細書
【補正対象項目名】００２８
【補正方法】変更
【補正の内容】
【００２８】
また、第４の本発明（請求項４に対応）は、生体情報を検出する検出手段が接続可能で端末と通信する、前記検出手段を動作させるためのプログラムまたはデータを蓄積したプログラムサーバであって、前記検出手段の動作スイッチがＯＮになり、前記端末から、前記検出手段の種類を含む情報が送信された場合、前記情報を受信すると、これに基づき、所定のプログラムおよび／またはデータを前記端末に送信し、前記検出手段は、前記端末が受信した所定のプログラムおよび／またはデータに基づき動作して生体情報を検出し、前記端末は、前記検出手段の検出結果を、情報サーバへ送信するものであるプログラムサーバである。
【手続補正６】
【補正対象書類名】明細書
【補正対象項目名】００２９
【補正方法】変更
【補正の内容】
【００２９】
また、第５の本発明（請求項５に対応）は、生体情報を検出する検出手段が接続可能な端末と通信する情報サーバであって、前記端末は、前記検出手段を動作させるためのプログラムおよび／またはデータを蓄積したプログラムサーバとも通信を行い、前記検出手段の動作スイッチがＯＮになり、前記端末が、前記検出手段の種類を含む情報を前記プログラムサーバに送信すると、前記プログラムサーバが、前記情報を受信すると、これに基づき、所定のプログラムおよび／またはデータを前記端末に送信し、前記検出手段が、前記端末が受信した所定のプログラムおよび／またはデータに基づき動作して生体情報を検出し、前記端末が、前記検出手段の検出結果を送信すると、その検出結果を受信する情報サーバである。
【手続補正７】
【補正対象書類名】明細書
【補正対象項目名】００３０
【補正方法】変更
【補正の内容】
【００３０】
また、第６の本発明（請求項６に対応）は、生体情報を検出する生体情報検出手段と、前記生体情報検出手段により検出された生体情報を処理、蓄積、表示する生体情報処理手段とを備え、前記生体情報検出手段は、検出した生体情報を一時蓄積するバッファ手段と、前記生体情報処理手段と通信するための第１通信手段とを少なくとも有し、前記生体情報処理手段は、前記生体情報検出手段と通信するための第２通信手段と、前記生体情報を記憶する記憶手段と、前記記憶手段に記憶された生体情報に所定の処理を行う処理手段と、前記記憶手段に記憶された生体情報および／または処理手段の出力データを表示する表示手段とを少なくとも有する生体情報処理装置である。
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】削除
【補正の内容】
【手続補正１４】
【補正対象書類名】明細書
【補正対象項目名】００３８
【補正方法】削除
【補正の内容】
【手続補正１５】
【補正対象書類名】明細書
【補正対象項目名】００３９
【補正方法】削除
【補正の内容】
【手続補正１６】
【補正対象書類名】明細書
【補正対象項目名】００４０
【補正方法】削除
【補正の内容】
【手続補正１７】
【補正対象書類名】明細書
【補正対象項目名】００４１
【補正方法】変更
【補正の内容】
【００４１】
また、第８の本発明（請求項８に対応）は、第５または第７の本発明の生体情報処理装置を用いて、前記情報サーバまたは前記サーバの使用者である健康管理指導者の指導に基づき前記生体処理装置の使用者の健康を管理する健康管理方法であって、前記情報サーバまたは前記サーバが、前記使用者の身長、体重、体脂肪率、体温を含む情報を含む使用者カルテに基づき、前記生体情報処理装置の使用者の運動指標、運動メニュー、健康管理指標の全部または一部を含む健康管理プログラムを作成し、これを前記生体情報処理装置へ送信する第１工程と、前記生体情報処理装置が前記健康管理プログラムを受信するとともに、前記使用者が前記健康管理プログラムに基づいて前記生体情報処理装置を使用し、計測データを取得する第２工程と、前記情報サーバまたは前記サーバが、前記得られた計測データを基に前記健康管理プログラムを更新する第３工程と、前記生体情報処理装置は、前記計測データが前記健康管理プログラムに対して設定された値の範囲外にある場合には、前記情報サーバまたは前記サーバに注意を促す警告情報を発信する第４工程とを備え、前記健康管理指導者は、前記警告情報を確認すると、これに基づく判断により、前記健康管理プログラム中の運動指標および／または運動メニューを変更し、前記情報サーバまたは前記サーバが、前記変更された運動指標および／または運動メニューを前記生体情報処理装置へ送信し、前記生体情報処理装置が変更された前記運動指標および／または運動メニューを受信すると、これに基づき、前記使用者が所定のレベルで運動を行う健康管理方法である。
【手続補正１８】
【補正対象書類名】明細書
【補正対象項目名】００４２
【補正方法】変更
【補正の内容】
【００４２】
また、第９の本発明（請求項９に対応）は、前記生体情報処理装置は、前記使用者に対し、前記計測データの更新を促す旨の催促情報を送信し、前記使用者は、前記催促情報を確認すると、これに基づく判断により、前記生体情報処理装置を動作させ、前記生体情報処理装置は、新たな計測データを取得すると、これを前記情報サーバまたはサーバへ送信する第８の本発明の健康管理方法である。
【手続補正１９】
【補正対象書類名】明細書
【補正対象項目名】００４３
【補正方法】削除
【補正の内容】
【手続補正２０】
【補正対象書類名】明細書
【補正対象項目名】００４４
【補正方法】変更
【補正の内容】
【００４４】
また、第１０の本発明（請求項１０に対応）は、前記催促情報は、前記計測データが所定期間以上更新されていない場合に出力される第９の本発明の健康管理方法である。
【手続補正２１】
【補正対象書類名】明細書
【補正対象項目名】００４５
【補正方法】変更
【補正の内容】
【００４５】
また、第１１の本発明（請求項１１に対応）は、前記催促情報は、前記使用者が前記計測データを更新するための前記生体情報処理装置の操作方法を含む第９の本発明の健康管理方法である。
【手続補正２２】
【補正対象書類名】明細書
【補正対象項目名】００４６
【補正方法】変更
【補正の内容】
【００４６】
また、第１２の本発明（請求項１２に対応）は、前記催促情報は、前記使用者が前記計測データを更新するための前記情報サーバまたは前記サーバの操作方法を含む第９の本発明の健康管理方法である。
【手続補正２３】
【補正対象書類名】明細書
【補正対象項目名】００４７
【補正方法】変更
【補正の内容】
【００４７】
また、第１３の本発明（請求項１３に対応）は、前記情報サーバまたは前記サーバは、前記使用者の使用者カルテと前記使用者とを一意に関係づける使用者ＩＤを格納した使用者ＩＤテーブルをさらに備え、前記使用者ＩＤは、前記健康管理プログラムとともに前記健康管理装置に送信されるものである第８の本発明の健康管理方法である。
【手続補正２４】
【補正対象書類名】明細書
【補正対象項目名】００４８
【補正方法】削除
【補正の内容】
【手続補正２５】
【補正対象書類名】明細書
【補正対象項目名】００４９
【補正方法】削除
【補正の内容】
【手続補正２６】
【補正対象書類名】明細書
【補正対象項目名】００５０
【補正方法】削除
【補正の内容】
【手続補正２７】
【補正対象書類名】明細書
【補正対象項目名】００５１
【補正方法】削除
【補正の内容】
【手続補正２８】
【補正対象書類名】明細書
【補正対象項目名】００５２
【補正方法】削除
【補正の内容】
【手続補正２９】
【補正対象書類名】明細書
【補正対象項目名】００５３
【補正方法】削除
【補正の内容】
【手続補正３０】
【補正対象書類名】明細書
【補正対象項目名】００５４
【補正方法】削除
【補正の内容】
【手続補正３１】
【補正対象書類名】明細書
【補正対象項目名】００５５
【補正方法】変更
【補正の内容】
【００５５】
また、第１４の本発明（請求項１４に対応）は、所定の検査項目に対応した生体情報を生体から検出する検出手段を有する端末と、前記検出手段を動作させるためのプログラムおよび／またはデータを蓄積したプログラムサーバと、前記端末と通信し、前記生体情報に基づき前記検査項目に対する判断を行う検査項目判断サーバとを備え、前記端末が起動すると、前記検査項目判断サーバは、あらかじめ設定された検査項目に対応した生体情報に基づき、前記あらかじめ設定された検査項目に関する判断を行い、前記判断の結果に基づき、前記端末に、所定のプログラムおよび／またはデータを前記プログラムサーバからダウンロードさせて、前記検出手段に前記所定のプログラムおよび／またはデータに基づく動作を行わせる生体情報検出システムである。
【手続補正３２】
【補正対象書類名】明細書
【補正対象項目名】００５６
【補正方法】変更
【補正の内容】
【００５６】
また、第１５の本発明（請求項１５に対応）は、所定の検査項目に対応した生体情報を生体から検出する検出手段を有する端末と、前記検出手段を動作させるためのプログラムおよび／またはデータを蓄積したプログラムサーバと、前記端末と通信し、前記生体情報に基づき前記検査項目に対する判断を行う検査項目判断サーバとを備え、前記端末は、前記検出手段が、あらかじめ設定された検査項目に対応した生体情報を検出すると、これを前記検査項目判断サーバに送信し、前記検査項目判断サーバは、検出された生体情報を受信すると、これに基づき前記あらかじめ設定された検査項目に関する判断を行い、前記判断の結果に基づき、前記検出手段の動作を継続させるかどうかの決定を行い、前記決定が前記検出手段の動作の継続である場合は、前記検出手段に従前と同一の動作を行わせるか、または前記プログラムサーバから所定のプログラムおよび／またはデータをダウンロードさせて、これら所定のプログラムおよび／またはデータに基づく動作を行わせる生体情報検出システムである。
【手続補正３３】
【補正対象書類名】明細書
【補正対象項目名】００５７
【補正方法】変更
【補正の内容】
【００５７】
また、第１６の本発明（請求項１６に対応）は、前記検出手段は前記端末から脱着可能に接続されており、前記所定のプログラムおよび／またはデータのダウンロードに伴い、前記端末に接続される前記検出手段の種類および／または個数が変更されるものである第１４または第１５の本発明の生体情報検出システムである。
【手続補正３４】
【補正対象書類名】明細書
【補正対象項目名】００５８
【補正方法】変更
【補正の内容】
【００５８】
また、第１７の本発明（請求項１７に対応）は、前記所定のプログラムおよび／またはデータのダウンロードは、前記検出手段の動作が対応する検査項目の変更のために行われる第１４または第１５の本発明の生体情報検出システムである。
【手続補正３５】
【補正対象書類名】明細書
【補正対象項目名】００５９
【補正方法】変更
【補正の内容】
【００５９】
また、第１８の本発明（請求項１８に対応）は、前記所定のプログラムおよび／またはデータのダウンロードは、前記検出手段の動作が、対応する検査項目が従前と同一のものであって検査方法が異なるものへの変更のために行われる第１４または第１５の本発明の生体情報検出システムである。
【手続補正３６】
【補正対象書類名】明細書
【補正対象項目名】００６０
【補正方法】変更
【補正の内容】
【００６０】
また、第１９の本発明（請求項１９に対応）は、前記検査項目判断サーバの前記判断には、前記生体情報として、前記検出手段の検出対象である生体に個別に関連した個別生体情報が用いられ、前記端末には、前記個別生体情報と対応づけられたＩＤが付与されており、前記検査項目判断サーバは、前記端末のＩＤを参照することにより、前記個別生体情報を用いて前記判断を行う第１４または第１５の本発明の生体情報検出システムである。
【手続補正３７】
【補正対象書類名】明細書
【補正対象項目名】００６１
【補正方法】変更
【補正の内容】
【００６１】
また、第２０の本発明（請求項２０に対応）は、前記ＩＤは、前記端末から前記検査項目判断サーバに発信されることにより、前記検査項目判断サーバが参照できるようになるものである第１９の本発明の生体情報検出システムである。
【手続補正３８】
【補正対象書類名】明細書
【補正対象項目名】００６２
【補正方法】削除
【補正の内容】
【手続補正３９】
【補正対象書類名】明細書
【補正対象項目名】００６３
【補正方法】削除
【補正の内容】
【手続補正４０】
【補正対象書類名】明細書
【補正対象項目名】００６４
【補正方法】削除
【補正の内容】
【手続補正４１】
【補正対象書類名】明細書
【補正対象項目名】００６５
【補正方法】削除
【補正の内容】
【手続補正４２】
【補正対象書類名】明細書
【補正対象項目名】００６６
【補正方法】削除
【補正の内容】
【手続補正４３】
【補正対象書類名】明細書
【補正対象項目名】００６７
【補正方法】削除
【補正の内容】
【手続補正４４】
【補正対象書類名】明細書
【補正対象項目名】００６８
【補正方法】削除
【補正の内容】
【手続補正４５】
【補正対象書類名】明細書
【補正対象項目名】００６９
【補正方法】削除
【補正の内容】
【手続補正４６】
【補正対象書類名】明細書
【補正対象項目名】００７０
【補正方法】削除
【補正の内容】
【手続補正４７】
【補正対象書類名】明細書
【補正対象項目名】００７１
【補正方法】削除
【補正の内容】
【手続補正４８】
【補正対象書類名】明細書
【補正対象項目名】００７２
【補正方法】削除
【補正の内容】
【手続補正４９】
【補正対象書類名】明細書
【補正対象項目名】００７３
【補正方法】削除
【補正の内容】
【手続補正５０】
【補正対象書類名】明細書
【補正対象項目名】００７４
【補正方法】削除
【補正の内容】
【手続補正５１】
【補正対象書類名】明細書
【補正対象項目名】００７５
【補正方法】削除
【補正の内容】